(57)【要約】      （修正有）【課題】合流式下水道の越流水用スパイラルスクリーンにおいて、越流水をスクリーニングして除去した紙類、布類、その他あらゆるものを含む夾雑物を十分に搬送して除去することを可能ならしめ、夾雑物の処理・処分を容易にする。【解決手段】搬送スパイラルが回転した時、夾雑物の送り側となる搬送スパイラルの外周端の前面側にスクレーパー、夾雑物の送り側の背面側となる搬送スパイラルの外周端の背面側に掻き取りブラシをそれぞれ備えている越流水用スパイラルスクリーン。【選択図】図１
2005113520.tif 000002
【特許請求の範囲】
【請求項１】
複数の開孔を有する断面Ｕ字状のトラフの形態からなるスクリーン部が下方側に配置されていると共に、当該スクリーン部の上方側に円筒状搬送部が当該スクリーン部から延設されて同軸的に配置され、当該円筒状搬送部の上端側に排出トラフが配備され、前記スクリーン部で捕捉された夾雑物を下方側から上方側に向けて押し上げるように駆動装置によって回転する搬送スパイラルが、前記スクリーン部と円筒状搬送部の中心を貫くように配置されていて、前記スクリーン部における前記搬送スパイラルの外周端に夾雑物の掻き取り手段が備えられている越流水用スパイラルスクリーンであって、前記搬送スパイラルが回転したときに、夾雑物の送り側となる搬送スパイラルの外周端の前面側にスクレーパー、夾雑物の送り側の背面側となる搬送スパイラルの外周端の背面側に掻き取りブラシをそれぞれ備えていることを特徴とする越流水用スパイラルスクリーン。
【請求項２】
夾雑物の送り側の背面側となる搬送スパイラルの外周端の背面側に備えられている掻き取りブラシと搬送スパイラルの外周端の背面との間に、幅５〜２０ｍｍのスペーサーが介装されていることを特徴とする請求項１記載の越流水用スパイラルスクリーン。
【請求項３】
複数の開孔を有する断面Ｕ字状のトラフの形態からなるスクリーン部が下方側に配置されていると共に、当該スクリーン部の上方側に円筒状搬送部が当該スクリーン部から延設されて同軸的に配置され、当該円筒状搬送部の上端側に排出トラフが配備され、前記スクリーン部で捕捉された夾雑物を下方側から上方側に向けて押し上げるように駆動装置によって回転する搬送スパイラルが、前記スクリーン部と円筒状搬送部の中心を貫くように配置されていて、前記スクリーン部における前記搬送スパイラルの外周端に夾雑物の掻き取り手段が備えられている越流水用スパイラルスクリーンであって、前記搬送スパイラルが回転したときに、夾雑物の送り側となる搬送スパイラルの外周端の前面側に、スクレーパーと掻き取りブラシとが、当該前面側から夾雑物の送り側の背面側に向かって、スクレーパー、掻き取りブラシの順に、あるいは、掻き取りブラシ、スクレーパーの順に配備されていることを特徴とする越流水用スパイラルスクリーン。
【発明の詳細な説明】
【技術分野】
【０００１】
本発明は、合流式下水道の降雨時越流下水（本明細書では単に「越流水」と言う）をスクリーニングして夾雑物（紙類、布類、その他あらゆるものを含む夾雑物）を高い効率で除去すると共に、夾雑物を排出することができる越流水用スパイラルスクリーンに関する。
【背景技術】
【０００２】
従来、越流水用のスクリーンとしては、雨水吐き室の越流堰の上部に目巾おおむね４ｍｍの水平方向に細長いスリット状のスクリーンを設けたいわゆる柵状のスクリーンを取り付け、このスクリーンで除去した夾雑物を油圧を用いて往復動するレーキで掻き取り、掻き取った夾雑物を再び合流式下水道の本流に戻す形態のものが知られている（国際出願公開公報  ＷＯ  Ａ１  ９４０７５８５）。
【０００３】
前記国際出願公開公報  ＷＯ  Ａ１  ９４０７５８５に記載されているスクリーンは、細長いスクリーンを有する。そこで、強い合流下水道の本流の水圧によって多量の夾雑物がスクリーンを通過するため、夾雑物の除去率が悪かった。また、レーキを往復動させる油圧機構からオイルが流出して下流側に被害を与えるなどのトラブルが多発していた。
【０００４】
そこで、雨水吐き室などの側壁に傾斜して取り付けたスパイラルスクリーンが開発された。このスパイラルスクリーンは、複数の開孔を有する断面Ｕ字状のトラフの形態からなるスクリーン部が下方側に配置されていると共に、このスクリーン部の上方側に円筒状搬送部がこのスクリーン部から延設されて同軸的に配置され、駆動装置によって回転する夾雑物の搬送スパイラルが、前記スクリーン部と円筒状搬送部の中心を貫くように配置されているものである。これによって、越流水をスクリーニングできるようになっている。
【０００５】
この雨水吐き室などの側壁に傾斜して取り付けたスパイラルスクリーンのブラシは、分流式下水道などの流入部に設置する目巾３０粍前後のスクリーンの後に設ける微細目スパイラルスクリーンのブラシを応用したものである。すなわち、前記の搬送スパイラルの外周端には、前記微細目スパイラルスクリーンに用いられていると同様の掻き取りブラシが取り付けられている。このスパイラルスクリーンを越流水に用いると、掻き取りブラシが越流水に含まれる大きな夾雑物を掻き取り、夾雑物が掻き取りブラシに絡み付き、この結果、下方側に配置されているトラフの形態からなるスクリーン部の開孔が目詰まりするなどのトラブルが発生していた。
【特許文献１】国際出願公開公報  ＷＯ  Ａ１  ９４０７５８５
【発明の開示】
【発明が解決しようとする課題】
【０００６】
この発明は、前述した国際出願公開公報  ＷＯ  Ａ１  ９４０７５８５に記載されている越流水用スクリーンの問題点及び、前記の雨水吐き室などの側壁に傾斜して取り付けた従来の越流水用スパイラルスクリーンの問題点を解決することを目的としてなされたものである。即ち、本発明の根底をなす課題は、スクリーン開孔が閉塞するなどのトラブルが無く、多量の越流水を処理することができる、構造が簡単でメンテナンスが容易な越流水用スパイラルスクリーンを提供することである。これによって、合流式下水道の越流水をスクリーニングして除去した紙類、布類、その他あらゆるものを含む夾雑物を十分に搬送して除去することを可能ならしめて、夾雑物の処理・処分を容易にすることを目的にしている。
【課題を解決するための手段】
【０００７】
前記目的を達成するために、本発明が提案する越流水用スパイラルスクリーンは、以下の構成からなるものである。
【０００８】
本発明が提案する越流水用スパイラルスクリーンは、複数の開孔を有する断面Ｕ字状のトラフの形態からなるスクリーン部が下方側に配置されていると共に、当該スクリーン部の上方側に円筒状搬送部が当該スクリーン部から延設されて同軸的に配置され、当該円筒状搬送部の上端側に排出トラフが配備され、前記スクリーン部で捕捉された夾雑物を下方側から上方側に向けて押し上げるように駆動装置によって回転する搬送スパイラルが、前記スクリーン部と円筒状搬送部の中心を貫くように配置されていて、前記スクリーン部における前記搬送スパイラルの外周端に夾雑物の掻き取り手段が備えられている形態のものである。
【０００９】
そして、かかる形態の越流水用スパイラルスクリーンにおいて、前記搬送スパイラルが回転したときに、夾雑物の送り側となる搬送スパイラルの外周端の前面側にスクレーパー、夾雑物の送り側の背面側となる搬送スパイラルの外周端の背面側に掻き取りブラシをそれぞれ備えていることを特徴とするものである。
【００１０】
前記の越流水用スパイラルスクリーンにおいて上方側に配置される円筒状搬送部は前記スクリーン部で捕捉した越流水中の夾雑物を搬送する部分になる。
【００１１】
本発明の越流水用スパイラルスクリーンにおいては、前述したように、前記搬送スパイラルが回転したときに、夾雑物の送り側となる搬送スパイラルの外周端の前面側にスクレーパー、夾雑物の送り側の背面側となる搬送スパイラルの外周端の背面側に掻き取りブラシが備えられている。
【００１２】
そこで、断面Ｕ字状のトラフの形態からなるスクリーン部で捕捉された夾雑物の殆ど大部分は、前記スクレーパーによって、そのまま下方側から上方側に向けて押し上げられながら搬送される。
【００１３】
そして、スクレーパーでは搬送できなかった開孔に入った残りの夾雑物は、引き続いて、掻き取りブラシによって掻き取られて、そのまま下方側から上方側に向けて押し上げられながら搬送される。
【００１４】
本発明の越流水用スパイラルスクリーンでは、搬送スパイラルは、例えば、５ｒｐｍ〜１０ｒｐｍ程度の低速で回転している。そこで、夾雑物をスクレーパーと掻き取りブラシとで、断面Ｕ字状のトラフの形態からなるスクリーン部から円筒状搬送部にゆっくりと移送することができる。
【００１５】
なお、前記のスクレーパーには、通常、厚さ（図４中、符号１５で示されるスクレーパーの左右方向の大きさで表される厚さ）５〜８ｍｍ程度の合成ゴムなどを用いることができる。また、掻き取りブラシには太さ１〜２ｍｍ程度のナイロン糸を使用することができる。
【００１６】
本発明の越流水用スパイラルスクリーンにおいて、スクレーパーと掻き取りブラシとの間の距離（図４において符号１５で表されているスクレーパーと、符号１４で表されている掻き取りブラシとの間の図４中、左右方向の間隔）が狭いと、スクレーパーで除去した夾雑物がそのすぐ下方部にある掻き取りブラシに絡み付くなどの問題を起こすことがある。
【００１７】
このような問題が生じるのを防止するため、前述した本発明の越流水用スパイラルスクリーンにおいて、夾雑物の送り側の背面側となる搬送スパイラルの外周端の背面側に備えられている掻き取りブラシと搬送スパイラルの外周端の背面との間に、幅５〜２０ｍｍのスペーサーが介装されている形態にすることができる。
【００１８】
前述した５〜２０ｍｍの幅（図５中、符号１６で示されるスペーサーの左右方向の大きさで表される幅）を有するスペーサーを、搬送スパイラルの外周端の背面側に備えられている掻き取りブラシと搬送スパイラルの外周端の背面との間に介装することにより、両者の間の間隔（図５中、左右方向の大きさで表される間隔）を大きくすることができる。そこで、前述した５〜２０ｍｍの範囲の幅を有するスペーサーを、図５図示のように、両者の間に介装することにより、スクレーパーで除去した夾雑物がそのすぐ下方部にある掻き取りブラシに絡み付くといった問題が生じることを未然に防止できる。
【００１９】
次に本発明が提案する他の越流水用スパイラルスクリーンは、前述したように、複数の開孔を有する断面Ｕ字状のトラフの形態からなるスクリーン部が下方側に配置されていると共に、当該スクリーン部の上方側に円筒状搬送部が当該スクリーン部から延設されて同軸的に配置され、当該円筒状搬送部の上端側に排出トラフが配備され、前記スクリーン部で捕捉された夾雑物を下方側から上方側に向けて押し上げるように駆動装置によって回転する搬送スパイラルが、前記スクリーン部と円筒状搬送部の中心を貫くように配置されていて、前記スクリーン部における前記搬送スパイラルの外周端に夾雑物の掻き取り手段が備えられている形態のものであり、かかる形態の越流水用スパイラルスクリーンにおいて、前記搬送スパイラルが回転したときに、夾雑物の送り側となる搬送スパイラルの外周端の前面側に、スクレーパーと掻き取りブラシとが、当該前面側から夾雑物の送り側の背面側に向かって、スクレーパー、掻き取りブラシの順に、あるいは、掻き取りブラシ、スクレーパーの順に配備されていることを特徴とするものである。
【００２０】
図３は、従来のスパイラルスクリーンにおいて、夾雑物の掻き取手段（掻き取りブラシ）が搬送スパイラルの外周端に取り付けられている状態を説明する一部を省略した縦断面図である。このように、従来のスパイラルスクリーンにおいては、夾雑物を下方側から上方側に向けて押し上げるように回転する搬送スパイラルが回転したときに、夾雑物の送り側となる搬送スパイラルの外周端の前面側（図３中、右側）だけに、掻き取り用のブラシのみが取り付けられていた。
【００２１】
これに対して、前記のように、搬送スパイラルが回転したときに、夾雑物の送り側となる搬送スパイラルの外周端の前面側に、スクレーパーと掻き取りブラシとが、当該前面側から夾雑物の送り側の背面側に向かって、図６図示のように、スクレーパー、掻き取りブラシの順に、あるいは、図７図示のように、掻き取りブラシ、スクレーパーの順に配備されている形態にすることによって、図３図示の従来の形態の越流水用スパイラルスクリーンに比較して良い掻き取り効果をあげることができる。
【００２２】
なお、搬送スパイラルが回転したときに、夾雑物の送り側となる搬送スパイラルの外周端の前面側に、当該前面側から夾雑物の送り側の背面側に向かって、図７図示のように、掻き取りブラシ、スクレーパーの順に両者が配備されている形態では、図３図示の従来の形態の越流水用スパイラルスクリーンに比較して良い掻き取り効果をあげることができるのに追加して、大きな夾雑物が掻き取りブラシに絡みつく現象を少なくさせるという効果を期待できる。
【００２３】
本発明の越流水用スパイラルスクリーンは、図１図示のように、雨水吐き室の側壁などに傾斜した状態で取り付ける。この傾斜角度は水平面に対し１０度〜２３度とすることが望ましい。
【００２４】
断面Ｕ字状のトラフの形態からなるスクリーン部に備えられている複数の開孔の直径は、通常４〜６ｍｍで、これによって、越流下水中の夾雑物を殆ど捕捉することができる。
【００２５】
スクリーン部で捕捉した夾雑物は、搬送スパイラルによって越流水用スパイラルスクリーンの上方に搬送され、排出トラフから排出される。
【００２６】
排出された夾雑物は、合流式下水道の本流に戻すか、コンベアで任意の位置に搬送するか、いずれの方法でも選択することができる。
【００２７】
前述したように、本発明では、断面Ｕ字状のトラフの形態からなるスクリーン部で捕捉、除去した夾雑物を、スクリーン部の底部に設けられている開孔に接して回転するスクレーパーでまず始めに大部分除去して搬送する。そして、次に、開孔に入った小さな夾雑物を掻き取りブラシで掻き取って搬送する。そこで、夾雑物を大きなものから小さなものまで十分に除去することができ、かつ開孔の目詰まりを防止することができる。
【発明の効果】
【００２８】
本発明の越流水用スパイラルスクリーンによれば、越流水中の夾雑物の殆ど大部分を捕捉して除去することができる。そこで、下方側に配置されている断面Ｕ字状のトラフの形態からなるスクリーン部に設けられている開孔がこれらの夾雑物によって目詰まりすることがないようにしつつ、越流水中から捕捉、除去した夾雑物を下方側から上方側まで搬送して排出することができる。これによって、以下に述べる効果を得ることができる。
【００２９】
イ．雨水吐き室などの側壁に図１図示のように水平に対して傾斜して取り付けられている越流水用スパイラルスクリーンの下方側に配置される断面Ｕ字状のトラフの形態からなるスクリーン部の開孔が目詰まりすることがないので、越流水用スパイラルスクリーンによる越流水処理量が増加する。
【００３０】
ロ．従来の雨水吐き室などの側壁に傾斜して取り付けたスパイラルスクリーンでは、搬送スパイラルの外周端に取り付けられている夾雑物の掻き取り手段、すなわち、掻き取りブラシに夾雑物が絡み付き、この結果、下方側に配置されているトラフの形態からなるスクリーン部の開孔が目詰まりするなどのトラブルが発生していた。しかし、本発明によれば、搬送スパイラルが回転したときには、まず始めに、夾雑物の送り側となる搬送スパイラルの外周端の前面側に配備されているスクレーパーの外周側が、スクリーン部の開孔に接して回転して、大部分の夾雑物を除去して搬送する。引き続いて、夾雑物の送り側の背面側となる搬送スパイラルの外周端の背面側に備えられている掻き取りブラシによって、前記のスクレーパーでは搬送できなかった開孔に入った残りの夾雑物が掻き取られて、そのまま下方側から上方側に向けて押し上げられながら搬送される。そこで、夾雑物の掻き取り手段、すなわち、掻き取りブラシに大きな夾雑物が絡みついたりすることが無いので、メンテナンスが簡単になる。
【００３１】
ハ．前記のロの効果から、無人自動運転が容易になる。
【００３２】
すなわち、本発明によれば、越流水中の大きな夾雑物から小さな夾雑物まで多種・多様の夾雑物をスクリーン部の開孔を目詰まりさせることなく、越流水用スパイラルスクリーンの水面上の排出トラフまで容易に搬送できる。
【００３３】
そして、合流式下水道の越流水をスクリーニングして除去した紙類、布類、その他あらゆるものを含む夾雑物を十分に搬送して除去することを可能ならしめ、夾雑物の処理・処分を容易にする越流水用スパイラルスクリーンを提供することができる。
【発明を実施するための最良の形態】
【００３４】
以下、添付図面を参照しつつ、本発明の好ましい実施形態を説明する。
【００３５】
図１は雨水吐き室の側壁に水平に対しおおむね２０度の傾斜角度で取り付けた本発明の越流水用スパイラルスクリーン３の縦断図、図２は図１の横断面図を示したものである。
【００３６】
図１及び図２からわかるように、越流水は雨水吐き室１の越流堰２を溢流して下方側に配置されている越流水用スパイラルスクリーン３の断面Ｕ字状のトラフの形態からなるスクリーン部４に流入する。
【００３７】
スクリーン部４には、直径４〜６ｍｍの開孔５が多数設けられている。
【００３８】
図１及び図２中にそれぞれ表されている雨水吐き室１から明らかなように、開孔５より上部の水位ＬＷＬが開孔５に対する水頭として作用する。
【００３９】
すなわち、越流水用スパイラルスクリーン３には側壁６があり、最高水位ＨＷＬは、通常、越流堰２の上端の水位ＬＷＬより＋２００ｍｍ程度とし、自動コントロールしている。
【００４０】
この水位コントロールは、合流下水道本流の水位を水位計７で検出し、合流下水道本流の下水管８に取り付けた電動ゲート弁などの開閉度を調節することによって行うことができる。
【００４１】
断面Ｕ字状のトラフの形態からなるスクリーン部４の開孔５によって夾雑物を捕捉、除去された越流水は、放流水管１７によって放流される。前記の水位コントロール機構は周知なので、図面による説明は省略する。
【００４２】
下方側に配置されている断面Ｕ字状のトラフの形態からなるスクリーン部４の上方側には、図１、図２図示のように、円筒状搬送部１０がスクリーン部４から延設されてスクリーン部４と同軸的に配置されている。
【００４３】
円筒状搬送部１０の上端側には、排出トラフ１２ａが配備されている。
【００４４】
そして、夾雑物を下方から上方に向けて押し上げるように駆動装置１８によって回転する搬送スパイラル９が、スクリーン部４と円筒状搬送部１０の中心を貫くように配置されている。
【００４５】
スクリーン部４における搬送スパイラル９の外周端には夾雑物の掻き取り手段が備えられているが、この夾雑物の掻き取り手段は、搬送スパイラル９が回転したときに、夾雑物の送り側となる搬送スパイラル９の外周端の前面側に備えられているスクレーパー１５と、夾雑物の送り側の背面側となる搬送スパイラル９の外周端の背面側に備えられている掻き取りブラシ１４とからなる。
【００４６】
断面Ｕ字状のトラフの形態からなるスクリーン部４の開孔５によって越流水中から捕捉、除去された夾雑物は、夾雑物を下方側から上方側に押し上げるように回転する搬送スパイラル９の回転に伴って、スクリーン部４からスクリーン部４の上方側に接続している円筒状搬送部１０に送られる。
【００４７】
そして、引き続いて、前記搬送スパイラル９の回転に伴って、排出トラフ１２ａから排出される。
【００４８】
排出トラフ１２ａから排出された夾雑物は、合流下水道の本流に戻すことができる。また、排出トラフ１２ａに代わって排出トラフ１２ｂを設け、排出された夾雑物をコンベア１１に供給して、任意の場所に運ぶこともできる。
【００４９】
図３は、雨水吐き室などの側壁に傾斜して取り付けた従来のスパイラルスクリーンにおいて、夾雑物の掻き取り手段、すなわち掻き取りブラシ１４が、搬送スパイラル９の外周端１３に取り付けられている状態を説明する一部を省略した縦断面図である。
【００５０】
この従来のスパイラルスクリーンでは、図３に示すように、夾雑物を下方側から上方側に向けて押し上げるように回転する搬送スパイラル９が回転したときに、夾雑物の送り側となる搬送スパイラル９の外周端１３の前面側だけに掻き取り用のブラシ１４のみが取り付けられていた。
【００５１】
このため、スクリーン部４の開孔５で捕捉、除去された大きな夾雑物が掻き取りブラシ１４に引っ掛かったり、絡み付いたりし、あるいは夾雑物が掻き取りブラシ１４で逆に開孔５の中に入ったりするなどの現象が起こり、夾雑物の除去率が低下すると共にメンテンスが厄介であった。
【００５２】
図４は、本発明の越流水用スパイラルスクリーン３において、夾雑物の掻き取り手段、すなわち掻き取りブラシ１４と、スクレーパー１５とが搬送スパイラル９の外周端１３に取り付けられている状態を説明する一部を省略した縦断面図である。
【００５３】
本発明の越流水用スパイラルスクリーンによれば、夾雑物を下方側から上方側に向けて押し上げるように回転する搬送スパイラル９が回転したときに、夾雑物の送り側となる搬送スパイラル９の外周端１３の前面側に、断面Ｕ字状のトラフの形態からなるスクリーン部４の底部に設けられている開孔５に接して回転する合成ゴム製のスクレーパー１５が取り付けられている。図４図示の実施形態では、スクレーパー１５は、搬送スパイラル９が回転したときに、夾雑物の送り側となる搬送スパイラル９の外周端の前面に備えられている。
【００５４】
そして、夾雑物を下方側から上方側に向けて押し上げるように回転する搬送スパイラル９が回転したときに、夾雑物の送り側の背面側となる搬送スパイラル９の外周端１３の背面側に、断面Ｕ字状のトラフの形態からなるスクリーン部４の底部に設けられている開孔５に接して回転する掻き取りブラシ１４が取り付けられている。図４図示の実施形態では、掻き取りブラシ１４は、夾雑物の送り側の背面側となる搬送スパイラル９の外周端の背面に備えられている。
【００５５】
そこで、スクリーン部４で越流水中から捕捉、除去された大部分の夾雑物を、スクレーパー１５によって、始めに搬送して除去すると共に、開孔５に引っ掛かった小さな夾雑物は、搬送スパイラル９の外周端１３の背面側に取り付けた掻き取りブラシ１４で除去して搬送することができる。
【００５６】
これによって、図３に示された形態であった従来の越流水用スパイラルスクリーンで生じていた問題を解決し、夾雑物をほぼ完全に掻き上げて除去することができた。
【００５７】
図５は、搬送スパイラル９の外周端１３の背面にスペーサー１６を取り付け、搬送スクレーパー１５と掻き取りブラシ１４との間の間隔（図５中、左右の間隔）を広くしたものである。
【００５８】
これによって、搬送スクレーパー９の下部と断面Ｕ字状のトラフからなるスクリーン部４との間に夾雑物が万一挟まった場合であっても、この夾雑物が掻き取りブラシ１４に引っ掛かったり絡み付かないようにすることができる。
【００５９】
図６、図７は、本発明が提案する越流水用スパイラルスクリーンにおいて、夾雑物の掻き取り手段（スクレーパー、掻き取りブラシ）が、搬送スパイラルの外周端に取り付けられている、更に、他の状態を説明する一部を省略した縦断面図である。
【００６０】
図６、図７図示の実施形態は、搬送スパイラル９が回転したときに、夾雑物の送り側となる搬送スパイラル９の外周端１３の前面側に、スクレーパー１５と掻き取りブラシ１４とが、当該前面側から夾雑物の送り側の背面側に向かって、スクレーパー１５、掻き取りブラシ１４の順に配備されている（図６）、あるいは、掻き取りブラシ１４、スクレーパー１５の順に配備されている（図７）ものである。
【００６１】
図６、図７図示の形態の本発明の越流水用スパイラルスクリーンであっても、図３図示の従来の形態の形態の越流水用スパイラルスクリーンに比較すれば良い掻き取り効果をあげることができる。
【００６２】
なお、図７図示のように、搬送スパイラル９が回転したときに、夾雑物の送り側となる搬送スパイラル９の外周端１３の前面側に、当該前面側から夾雑物の送り側の背面側に向かって、掻き取りブラシ１４、スクレーパー１５の順に両者が配備されている形態にすれば、図３図示の従来の形態の越流水用スパイラルスクリーンに比較して良い掻き取り効果をあげることができるのに追加して、大きな夾雑物が掻き取りブラシ１４に絡みつく現象を少なくさせるという効果を期待できる。
【００６３】
この図６、図７図示の実施形態においても、掻き取りブラシ１４とスクレーパー１５との間にスペーサーを介装することにより、両者の間の間隔（図６、７中、左右の間隔）を広くすることが可能である。例えば、図６図示の形態では、搬送スパイラル９の外周端１３の前面とスクレーパー１５との間にスペーサー１６を介装させる形態で、掻き取りブラシ１４とスクレーパー１５との間にスペーサーを介装し、掻き取りブラシ１４とスクレーパー１５との間の間隔を広げている。同様の対応が、図７図示の実施形態でも可能である。
【００６４】
すなわち、本発明によれば、駆動装置１８によって回転する搬送スパイラル９の外周端１３の前面側に搬送スクレーパー１５、外周端１３の背面側に掻き取りブラシ１４を取り付けることにより、また必要に応じて、前記の形態において、搬送スパイラルの外周端１３の背面にスペーサー１６を取り付けてから掻き取りブラシ１４を取り付けることにより、あるいは、搬送スパイラル９が回転したときに、夾雑物の送り側となる搬送スパイラル９の外周端１３の前面側に、スクレーパー１５と掻き取りブラシ１４とを、当該前面側から夾雑物の送り側の背面側に向かって、スクレーパー１５、掻き取りブラシ１４の順に、あるいは、掻き取りブラシ１４、スクレーパー１５の順に配備することにより、断面Ｕ字状のトラフからなるスクリーン部４の開孔５で捕捉した越流水中の夾雑物を円筒状搬送部１０に移送して水面上に搬送し、越流水用スパイラルスクリーン３から排出できる効率的な越流水用スパイラルスクリーンを提供することができる。
【００６５】
以上、添付図面を参照して本発明の好ましい実施形態、実施例を説明したが、本発明はかかる実施形態、実施例に限定されるものではなく、特許請求の範囲の記載から把握される技術的範囲において種々の形態に変更可能である。
【図面の簡単な説明】
【００６６】
【図１】本発明による最も一般的な越流水用スパイラルスクリーンの縦断図。
【図２】図１図示の越流水用スパイラルスクリーンが雨水吐き室に取り付けられている状態の横断面図。
【図３】従来のスパイラルスクリーンにおいて、夾雑物の掻き取り手段（掻き取りブラシ）が、搬送スパイラルの外周端に取り付けられている状態を説明する一部を省略した縦断面図。
【図４】本発明の越流水用スパイラルスクリーンにおいて、夾雑物の掻き取り手段（スクレーパー、掻き取りブラシ）が、搬送スパイラルの外周端に取り付けられている状態を説明する一部を省略した縦断面図。
【図５】本発明の越流水用スパイラルスクリーンにおいて、夾雑物の掻き取り手段（スクレーパー、掻き取りブラシ）が、搬送スパイラルの外周端に取り付けられている他の状態を説明する一部を省略した縦断面図。
【図６】本発明の越流水用スパイラルスクリーンにおいて、夾雑物の掻き取り手段（スクレーパー、掻き取りブラシ）が、搬送スパイラルの外周端に取り付けられている更に他の状態を説明する一部を省略した縦断面図。
【図７】本発明の越流水用スパイラルスクリーンにおいて、夾雑物の掻き取り手段（スクレーパー、掻き取りブラシ）が、搬送スパイラルの外周端に取り付けられている他の状態を説明する一部を省略した縦断面図。
【符号の説明】
【００６７】
１  雨水吐き室
２  越流堰
３  越流水用スパイラルスクリーン
４  スクリーン部
５  開孔
６  側壁
７  水位計
８  本流下水管
９  搬送スパイラル
１０  円筒状搬送部
１１  コンベア
１２ａ、１２ｂ  排出トラフ
１３  搬送スパイラルの外周端
１４  掻き取りブラシ
１５  スクレーパー
１６  スペーサー
１７  放流水管
１８  駆動装置
２０  矢印（搬送スパイラル９による夾雑物の搬送方向を示す矢印）
【図１】
2005113520.tif 000003
【図２】
2005113520.tif 000004
【図３】
2005113520.tif 000005
【図４】
2005113520.tif 000006
【図５】
2005113520.tif 000007
【図６】
2005113520.tif 000008
【図７】
2005113520.tif 000009